(57)【要約】【課題】チェンが装飾品などとして用いられる場合に生ずる各種の不具合を補いながらも、チェンの長所は活かし、チェンの代用とすることができるものを開発する。【解決手段】長手方向に非伸縮性で且つ可撓性を具備する中紐部材５と、この中紐部材５の長手方向に沿って当該中紐部材５まわりに螺旋状に巻回されたコイル紐部材６とを有し、このコイル紐部材６は長手方向では少なくとも巻回ピッチＰの拡縮に伴う伸縮性及び可撓性を具備した二重紐１とする。【選択図】図１
0003117298.tif 000002
【実用新案登録請求の範囲】
【請求項１】
長手方向に非伸縮性で且つ可撓性を具備する中紐部材（５）と、この中紐部材（５）の長手方向に沿って当該中紐部材（５）まわりに螺旋状に巻回されたコイル紐部材（６）とを有し、このコイル紐部材（６）は長手方向では少なくとも巻回ピッチ（Ｐ）の拡縮に伴う伸縮性及び可撓性を具備していることを特徴とする二重紐。
【請求項２】
前記コイル紐部材（６）を形成している紐素材は弾性材により形成されていることを特徴とする請求項１記載の二重紐。
【請求項３】
前記中紐部材（５）は金属製の鎖により形成されていることを特徴とする請求項１又は請求項２記載の二重紐。
【請求項４】
前記中紐部材（５）の両端部に結合リング（１０）が設けられ、これら両側の結合リング（１０）に対してコイル紐部材（６）における両端側の紐素材端部が各別に挿通され且つこの紐素材端部により閉ループの止め輪部（１１）が形成されることにより、中紐部材（５）とコイル紐部材（６）とが略同じ長さに揃えられて結合されていることを特徴とする請求項１乃至請求項３のいずれかに記載の二重紐。
【請求項５】
前記コイル紐部材（６）は、その紐素材の紐径（ｈ）よりも寸法的に大きな巻回ピッチ（Ｐ）で巻回されており、巻回間から中紐部材（５）が視認可能になっていることを特徴とする請求項１乃至請求項４のいずれかに記載の二重紐。
【請求項６】
前記コイル紐部材（６）の巻回ピッチ（Ｐ）は、当該コイル紐部材（６）の両端部間に引張力を発生させた状態にしてこれら両端部を中紐部材（５）の各所定部位へ結合させることで形成したものとすることを特徴とする請求項５記載の二重紐。
【請求項７】
前記コイル紐部材（６）のコイル内径（Ｄ）は中紐部材（５）の紐径（ｄ）の２倍に満たない寸法に形成されていることを特徴とする請求項１乃至請求項６のいずれかに記載の二重紐。
【請求項８】
鞄の把手、キーチェン、衣類アクセント、ネックレスチェン、ストラップ、ペット用リード、カーアクセサリー、玩具用部品のいずれかである請求項１乃至請求項７のいずれかに記載の二重紐。
【考案の詳細な説明】
【技術分野】
【０００１】
本考案は、鞄の把手、キーチェン、衣類アクセント、ネックレスチェン、ストラップ、ペット用リード、カーアクセサリー、玩具用部品などとして好適に使用できる二重紐に関するものである。
【背景技術】
【０００２】
携帯電話などが衣服から脱落するのを防止する場合などに、ストラップとして使用できるコイル紐は周知である（特許文献１等参照）。このようなコイル紐はウレタンやビニールなどの素材で形成されているため、着色性（透明や着色透明を含む）が豊富となっており、その汎用性も広く、今や、工具やキーといった小物類の脱落防止紐をはじめ、帽子留め、衣類アクセント等として、自由な発想のもと様々な場面で多用されている。
ところで、装飾やファッションの一つとしてチェン（鎖）を利用することも周知である。例えば、チェンを二の腕に二重、三重に巻き付けたり、ネックレスの代用として首に掛けたり、ズボンやスカートのウエスト部まわりに、チェンの両端を適宜間隔で連結し、且つ中間を弛ませた状態でぶら下げたり、或いは鞄類の把手やキーチェン等としたりすることが、よく知られている。言うまでもなく、チェンは金属製（アルミ、スチール、チタン、ステンレス、その他の貴金属）であって、それらの持つ光沢に、重厚さや高級感、おしゃれ感の価値が求められており、長手方向の伸縮性は必要とされていない。
【特許文献１】特許第３２２７４４５号公報
【考案の開示】
【考案が解決しようとする課題】
【０００３】
チェンは金属製であるため、それが不用意に他物に接触し、強く押し付けられたり叩きつけられたりすると、その相手物（例えば自動車のボディや建物の内装、金属製手摺り、家具など）に傷を付けるおそれがある。またチェンを一端だけでぶら下げて激しく揺らしたり、両端をフリーにした状態で収納したりしたときに、不注意な扱いをすると、チェンの中途部が絡まってしまったり、この絡まりを解こうとしてチェンを切断してしまうといった不具合が発生するおそれがあった。
なお、従来周知のコイル紐（特許文献１等）をチェンの代用として使用することは可能であるが、コイル紐は上記したようにウレタンやビニルなどによって形成されているため、チェンの金属光沢から得られる重厚さや高級感、おしゃれ感とはかけ離れたものとなる。しかも、コイル紐の全長に発生する独特のプワプワした軽々しい弾性感が、むしろ低級さを露呈してしまい、これらのことからコイル紐は必ずしもチェンの代用とはならなかった。
【０００４】
また言うまでもなく、コイル紐が有する長手方向の伸縮性、弾性変形性及び復元性は、鞄類の把手やキーチェンの代用には不向きであった。
本考案は、上記事情に鑑みてなされたものであって、チェンが装飾品などとして用いられる場合に生ずる各種の不具合を補いながらも、チェンの長所は活かし、チェンの代用とすることができるようにした二重紐を提供することを目的とする。
【課題を解決するための手段】
【０００５】
前記目的を達成するために、本考案は次の手段を講じた。
即ち、本考案に係る二重紐は、長手方向に非伸縮性で且つ可撓性を具備する中紐部材と、この中紐部材の長手方向に沿って当該中紐部材まわりに螺旋状に巻回されたコイル紐部材とを有し、このコイル紐部材は長手方向では少なくとも巻回ピッチの拡縮に伴う伸縮性及び可撓性を具備したものとなっている。
このように、この二重紐は中紐部材とコイル紐部材とで内外二重構造になっており、中紐部材が非伸縮性であるため、二重紐全体としても非伸縮性のものとして使用できる。従って、物品の吊り下げ用として使用できる。なお、内外二重構造であるため、万が一、中紐部材又はコイル紐部材の一方が切断するといったことが起こっても、他方の紐部材が残り、例えば物品の吊り下げ作用が直ちに無くなるといった事故には繋がらない。
【０００６】
また中紐部材に可撓性があるのに加え、コイル紐部材は巻回ピッチの拡縮に伴う伸縮性及び可撓性を具備していることから、この二重紐全体として、柔軟で自由な曲げが可能となる。しかも、二重紐を曲げたとき、コイル紐部材はその長手方向で均一な巻回ピッチを自ずと保持するようになるので、見栄えがよく、装飾品などとして使用するに十分な外観を呈するものとなる。従って、この二重紐は装飾品などとして使用できる。
コイル紐部材は、その紐素材をウレタンやビニル等の弾性材により形成されたものとすればよい。このようにすることで、この二重紐が不用意に他物に接触し、強く押し付けられたり叩きつけられたりするようなことがあったとしても、その相手物（例えば自動車のボディや建物の内装、金属製手摺り、家具など）に傷が付くのを防止できる。なおコイル紐部材は、弾性材以外の素材によって形成することもできる。
【０００７】
中紐部材は、アルミ、スチール、チタン、ステンレス、その他の貴金属などを素材とした金属製の鎖により形成すればよい。このようにすることで、この中紐部材による金属光沢に重厚さや高級感、おしゃれ感の価値が、二重紐としても同様に反映されることになる。のみならず、この中紐部材による金属光沢はその全長として露骨に現れるのではなく、コイル紐部材の螺旋の隙間からチラチラと見える上品さを有することになるため、重厚さや高級感、おしゃれ感が一層、引き出される場合もある。なお中紐部材は、金属以外の素材（例えば樹脂に金属メッキを施した素材をはじめ、樹脂、ゴム、繊維材、紙など）によって形成することもできる。
【０００８】
中紐部材の両端部に結合リングを設け、これら両側の結合リングに対してコイル紐部材における両端側の紐素材端部を各別に挿通させ、この紐素材端部により閉ループの止め輪部を形成させるようにして、この止め輪部により、中紐部材とコイル紐部材とを略同じ長さに揃えて結合させるようにするとよい。
このように中紐部材とコイル紐部材との長さが揃い、しかもこの二重紐をどのように曲げようとも中紐部材とコイル紐部材とが長手方向でズレルといったこと（中紐部材だけが剥き出しになるような状況）がないので、外観性が失われることがない。
【０００９】
コイル紐部材は、その紐素材の紐径よりも寸法的に大きな巻回ピッチで巻回したものとし、巻回ピッチ間から中紐部材が視認可能にするのが好適である。このようにすることで、この二重紐を曲げて使用しない場合（直線状のまま）でも、中紐部材を外から見ることができ、外観性に優れたものとなる。この場合、コイル紐部材の巻回ピッチは、このコイル紐部材の両端部間に引張力を発生させた状態にして、これら両端部を中紐部材の各所定部位へ結合させることで形成したものとするのが好適である。
コイル紐部材のコイル内径は、中紐部材の紐径の２倍に満たない寸法に形成するのが好適である。このようにすることで、中紐部材の外周面とコイル紐部材の内周面との周間に形成される隙間が、大きすぎることもなく且つ小さすぎることもなく、適度となるので、見栄えがよい。殊に中紐部材を金属製鎖とした場合では、鎖の曲がり、撓み、折れがコイル紐部材内で制限されることにより、絡まないという効果も得られる。
【００１０】
この二重紐は、鞄の把手、キーチェン、衣類アクセント、ネックレスチェン、ストラップ、ペット用リード、カーアクセサリー、玩具用部品など、自由な発想に基づいて様々な用途に使用可能である。
【考案の効果】
【００１１】
本考案に係る二重紐は、チェンが装飾品などとして用いられる場合に生ずる各種の不具合を補いながらも、チェンの長所は活かし、チェンの代用とすることができるようになる。また自由な発想のもと、その他の用途、汎用性も限りない広がりを出せる。
【考案を実施するための最良の形態】
【００１２】
以下、本考案の実施の形態を、図面に基づき説明する。
図１乃至図３は、本考案に係る二重紐１の一実施形態を示している。この二重紐１は、例えば図４に示すように、ズボンやスカート等の衣類２のウエスト部まわりに、腰ベルト３やベルト通し４を利用するなどして両端を適宜間隔で連結し、中間を弛ませた状態でぶら下げ、装飾やファッションの一つとして使用することができる。
この二重紐１は中紐部材５とコイル紐部材６とを有したもので、中紐部材５の長手方向に沿ってそのまわりにコイル紐部材６が螺旋状に巻回された内外二重構造となっている。
【００１３】
中紐部材５の両端部には結合リング１０が設けられている。これに対してコイル紐部材６の両端部には、このコイル紐部材６を形成する紐素材において一巻き分程度の端部が巻き戻し側部位へ溶着され、これによって閉ループとなる止め輪部１１が設けられている。この止め輪部１１は、中紐部材５における両側の結合リング１０に対して各別に挿通されたものとなっている。そのため、中紐部材５とコイル紐部材６とは、互いに略同じ長さに揃えられた状態で結合されている。
本実施形態では両側の結合リング１０に対し、それより径大の連結リング１２を連結して、他物への連結が容易となるようにしてある。この連結リング１２はクリップやフック、安全ピン、ミニシャックル、紐などに置換することも可能であり、また省略してもよい（結合リング１０自体に連結リング１２の作用を持たせてもよい）。
【００１４】
中紐部材５は、その長手方向に非伸縮性を有していると共に可撓性を有したものであって、具体的には、アルミ、スチール、チタン、ステンレス、その他の貴金属などを素材とした金属製の鎖により形成すればよい。鎖の形体は玉型でもリンク型でもよく、更にリンク型の場合には各リンクが９０°捻られたものでも、各リンクが平面的なもの（図例）でもよい。
コイル紐部材６は、長手方向では少なくとも巻回ピッチＰの拡縮に伴う伸縮性及び可撓性を有したものであって、具体的には、紐素材はウレタンやビニル等の弾性材により形成されたものとすればよい。
【００１５】
コイル紐部材６は、両側の止め輪部１１により中紐部材５の両端部の結合リング１０に結合された状態で、その紐素材の紐径ｈよりも寸法的に大きな巻回ピッチＰで巻回されている。即ちｈ＜Ｐであり、巻回隙間（隣接する素材紐の相互間）が確保されており、この二重紐１を曲げて使用しない場合（直線状のまま）でも、中紐部材５を外から見ることができ、外観性に優れたものとなる。
この巻回ピッチＰは、このコイル紐部材６の両端部間に引張力を発生させた状態にして、両側の止め輪部１１を中紐部材５の各結合リング１０へ結合させることで形成されている。
【００１６】
また、コイル紐部材６のコイル内径Ｄは、中紐部材５の紐径ｄの２倍に満たない寸法に形成されている。即ちＤ＜２ｄであり、中紐部材５の外周面とコイル紐部材６の内周面との周間に形成される隙間Ｇは、最大（コイル紐部材６内で中紐部材５が偏った状態）でもｄ、最小（コイル紐部材６内の中心に中紐部材５がある状態）でもｄ／２となる。このような値の隙間Ｇは大きすぎることもなく且つ小さすぎることもなく、適度となるので、見栄えがよい。殊に中紐部材５を金属製鎖とした場合では、鎖の曲がり、撓み、折れがコイル紐部材６内で制限されることにより、絡まないという効果も得られる。
【００１７】
以上、詳説したところから明らかなように、本考案に係る二重紐１は中紐部材５とコイル紐部材６とによる内外二重構造であり、中紐部材５が非伸縮性であるため、二重紐１全体としても非伸縮性のものとして使用できる。従って、キーや携帯電話などの吊り下げ用、繋留用（脱落防止用）として使用したり、鞄の把手などとして使用したりできる。なお、内外二重構造であるため、万が一、中紐部材５又はコイル紐部材６の一方が切断するといったことが起こっても、他方の紐部材が残り、例えば物品の吊り下げ作用が直ちに無くなるといった事故には繋がらない。
【００１８】
また中紐部材５に可撓性があるのに加え、コイル紐部材６は巻回ピッチＰの拡縮に伴う伸縮性及び可撓性を具備していることから、この二重紐１全体として、柔軟で自由な曲げが可能となる。しかも、二重紐１を曲げたとき、コイル紐部材６はその長手方向で均一な巻回ピッチＰを自ずと保持するようになるので、見栄えがよく、装飾品などとして使用するに十分な外観を呈するものとなる。従って、この二重紐１は図４に例示したような装飾品などとして使用できる。
中紐部材５を金属製の鎖とした場合は、この中紐部材５による金属光沢に重厚さや高級感、おしゃれ感の価値が、二重紐１としても同様に得られることになる。のみならず、この中紐部材５による金属光沢はその全長として露骨に現れるのではなく、コイル紐部材６の螺旋の隙間からチラチラと見えるようになるため、場合によっては重厚さや高級感、おしゃれ感が一層、引き出されるといった魅力もある。コイル紐部材６を透明乃至着色透明とすれば、中紐部材５による金属光沢がコイル紐部材６を透過して、一層審美的となる。
【００１９】
コイル紐部材６を弾性材で形成した場合は、この二重紐１が不用意に他物に接触し、強く押し付けられたり叩きつけられたりするようなことがあったとしても、その相手物（例えば自動車のボディや建物の内装、金属製手摺り、家具など）に傷が付くのを防止できる。
中紐部材５とコイル紐部材６との長さを揃え、それらの両端部同士を結合リング１０で結合した状態にすれば、この二重紐１をどのように曲げようとも中紐部材５とコイル紐部材６とが長手方向でズレルといったこと（中紐部材５だけが剥き出しになるような状況）がないので、外観性が失われることがない。
【００２０】
図５に示すように、コイル紐部材６の内側を通すようにして中紐部材５へ分岐リング１３を連結させると、この分岐リング１３はコイル紐部材６の巻回間を超えて移動することができなくなるので、複数の分岐リング１３を所定間隔に維持させるうえで好適である。例えば、各分岐リング１３にキー１４等を引っ掛けておけば、キー１４相互の絡まりや衝突を防止させるようなことができ、キー１４の傷つき防止や衝突騒音防止に役立つ。キー１４の代わりに、マスコットやイヤリング等を吊り下げれば、この二重紐１を収納を兼ねたコレクション用のディスプレー支持材などとして活用することもできる。
【００２１】
ところで、本考案は、上記実施形態に限定されるものではなく、実施の形態に応じて適宜変更可能である。
中紐部材５は針金や金属製ワイヤ、樹脂その他の線材、樹脂その他のロープなどによって形成することもできる。
【図面の簡単な説明】
【００２２】
【図１】本考案に係る二重紐の一実施形態を示した中間省略側面図である。
【図２】図１のＡ部拡大図である。
【図３】図１のＢ部を拡大して示した側断面図である。
【図４】図１に示した二重紐の使用例を示した図である。
【図５】図１に示した二重紐の別の使用例を示した図である。
【符号の説明】
【００２３】
１  二重紐
５  中紐部材
６  コイル紐部材
１０  結合リング
１１  止め輪部
ｄ  中紐部材の紐径
Ｄ  コイル紐部材のコイル内径
Ｐ  コイル紐部材の巻回ピッチ
ｈ  コイル紐部材の素材紐径
【図１】
0003117298.tif 000003
【図２】
0003117298.tif 000004
【図３】
0003117298.tif 000005
【図４】
0003117298.tif 000006
【図５】
0003117298.tif 000007